(57)【要約】【課題】きめ細かい泡を注出することができると共に、加工性を向上させることができる注出機構及び注出方法を提供する。【解決手段】ビールテイスト飲料が充填された缶１の天面４に取り付けられると共に指が引っ掛けられる引掛部１２ｆを有するプルタブ１２と、引掛部１２ｆが引き上げられることにより天面４に形成された切断線１５で切断されて缶１の内側に入り込み天面４に開口１３を形成する開口形成部１４と、を備えた飲料の注出機構１０である。注出機構１０は、天面４においてプルタブ１２を回転可能に取り付ける回転軸部１１を更に備え、引掛部１２ｆは、引掛部１２ｆを貫通する貫通孔を有しておらず、引掛部１２ｆは、プルタブ１２が回転したときに開口１３の一部を塞ぐ。【選択図】図２
2018144828.tif 000002
【特許請求の範囲】
【請求項１】
ビールテイスト飲料が充填された缶の天面に取り付けられると共に指が引っ掛けられる引掛部を有するプルタブと、前記引掛部が引き上げられることにより前記天面に形成された切断線で切断されて前記缶の内側に入り込み前記天面に開口を形成する開口形成部と、を備えた飲料の注出機構であって、
前記天面において前記プルタブを回転可能に取り付ける回転軸部を更に備え、
前記引掛部は、前記引掛部を貫通する貫通孔を有しておらず、
前記引掛部は、前記プルタブが回転したときに前記開口の一部を塞ぐ、
注出機構。
【請求項２】
ビールテイスト飲料が充填された缶の天面に取り付けられると共に指が引っ掛けられる引掛部を有するプルタブと、前記引掛部が引き上げられることにより前記天面に形成された切断線で切断されて前記缶の内側に入り込み前記天面に開口を形成する開口形成部と、を備えた飲料の注出機構であって、
前記天面において前記プルタブを回転可能に取り付ける回転軸部を更に備え、
前記引掛部は、前記引掛部を貫通する１つの貫通孔を有し、
前記貫通孔には、前記貫通孔の内側に向かって突出する突出部が形成されており、
前記引掛部は、前記プルタブが回転したときに前記開口の一部を塞ぐ、
注出機構。
【請求項３】
前記プルタブが回転したときに、前記引掛部は、前記開口の外縁を塞ぐ、
請求項２に記載の注出機構。
【請求項４】
前記突出部は、１本設けられており、前記貫通孔の中央に向かって線状に延びている、
請求項２又は３に記載の注出機構。
【請求項５】
請求項１〜４のいずれか一項に記載の注出機構を備えると共に、ビールテイスト飲料が充填された缶から飲料を注出する注出方法であって、
前記引掛部を引き上げて前記開口形成部を前記缶の内側に入り込ませることにより、前記天面に開口を形成する工程と、
前記回転軸部を中心として前記プルタブを回転させる工程と、
前記プルタブの回転により、前記引掛部で前記開口の一部を塞ぐ工程と、
を備えた注出方法。
【発明の詳細な説明】
【技術分野】
【０００１】
本発明は、ビールテイスト飲料が充填された缶に設けられる飲料の注出機構及び注出方法に関する。
【背景技術】
【０００２】
従来から、ビールテイスト飲料の注出においては様々な試みがなされており、飲食店等で飲料を提供するときには、飲料サーバーで飲料を注出することによってきめ細かい泡を注出することが可能である。しかしながら、家庭等でビールテイスト飲料を注出するときには、飲料サーバーが大きく、置き場所に困ったり、メンテナンスが難しく費用と時間がかかることが多い。そのため家庭等で飲料サーバーを使うことは少なく、ビールテイスト飲料を缶からグラスに注出して飲むことが多い。このため、家庭等では、手軽にきめ細かい泡を注出できていないという現状がある。
【０００３】
特開２００４−１６８４１７号公報には、飲料用缶を開けるためのプルタブを備えた飲料の注出構造が記載されている。プルタブは、飲料用缶の天面に位置する鋲軸に回転可能に支持されている。このプルタブは、鋲軸から離れた箇所に位置する取っ手部に、格子状又は網目状の貫通孔を有する。このプルタブには、互いに仕切られた複数の直線状の貫通孔が形成されている。上記の注出構造では、プルタブを回転させて取っ手部で飲料用缶の開口の一部を塞ぎ、この状態でビールテイスト飲料を貫通孔に通過させることにより、泡の形状の変化を図っている。
【先行技術文献】
【特許文献】
【０００４】
【特許文献１】特開２００４−１６８４１７号公報
【発明の開示】
【発明が解決しようとする課題】
【０００５】
一般的に、プルタブの大きさは数ｃｍ程度であり非常に小さい。前述した注出構造では、プルタブに、互いに仕切られた複数の直線状の貫通孔が形成されているため、一つ一つの貫通孔の大きさは非常に小さい。また、プルタブは、金属板を切削加工して製造されるため、上記のような非常に小さい貫通孔を形成するのは困難である。すなわち、上記の貫通孔を形成するには、非常に小さい切削加工用の刃を複数用意しなければならない。よって、プルタブの製造の加工性がよくないという問題がある。
【０００６】
本発明は、きめ細かい泡を注出することができると共に、加工性を向上させることができる注出機構及び注出方法を提供することを目的とする。
【課題を解決するための手段】
【０００７】
本発明の一側面に係る注出機構は、ビールテイスト飲料が充填された缶の天面に取り付けられると共に指が引っ掛けられる引掛部を有するプルタブと、引掛部が引き上げられることにより天面に形成された切断線で切断されて缶の内側に入り込み天面に開口を形成する開口形成部と、を備えた飲料の注出機構であって、天面においてプルタブを回転可能に取り付ける回転軸部を更に備え、引掛部は、引掛部を貫通する貫通孔を有しておらず、引掛部は、プルタブが回転したときに開口の一部を塞ぐ。
【０００８】
この注出機構では、プルタブの引掛部に指を引っ掛けて引掛部を引き上げることにより、開口形成部が缶の内側に入り込んで飲料を注出するための開口が天面に形成される。引掛部を引き上げた状態でプルタブを回転軸部を中心として回転させることにより、引掛部で開口の一部を塞ぐことができる。よって、ビールテイスト飲料をグラス等に注出するときには、一部が塞がれた開口にビールテイスト飲料を通すことによってきめ細かい泡を注出することができる。従って、飲料サーバーを有しない家庭等でも、ビールテイスト飲料のきめ細かい泡を缶から手軽に注出することができる。また、この注出機構では、引掛部が貫通孔を有しない。よって、プルタブの製造時に、貫通孔を形成するための非常に小さい刃を複数用意する必要がないので、プルタブの製造の加工性を向上させることができる。
【０００９】
本発明の他の側面に係る注出機構は、ビールテイスト飲料が充填された缶の天面に取り付けられると共に指が引っ掛けられる引掛部を有するプルタブと、引掛部が引き上げられることにより天面に形成された切断線で切断されて缶の内側に入り込み天面に開口を形成する開口形成部と、を備えた飲料の注出機構であって、天面においてプルタブを回転可能に取り付ける回転軸部を更に備え、引掛部は、引掛部を貫通する１つの貫通孔を有し、貫通孔には、貫通孔の内側に向かって突出する突出部が形成されており、引掛部は、プルタブが回転したときに開口の一部を塞ぐ。
【００１０】
この注出機構では、前述した一側面に係る注出機構と同様、引掛部で開口の一部を塞ぐことができるので、飲料サーバーを有しない家庭等でもビールテイスト飲料のきめ細かい泡を注出することができる。また、この注出機構では、引掛部が１つの貫通孔を有し、貫通孔には、その内側に突出する突出部が形成されている。このように、１つの貫通孔に突出部が形成されているので、貫通孔にビールテイスト飲料を通すことにより、注出される泡の形状を変化させることができ、よりきめ細やかな泡を注出することができる。また、この注出機構では、１つの貫通孔を形成する切削加工用の刃を１つ用意すればよいので、プルタブの製造の加工性を向上させることができる。
【００１１】
また、プルタブが回転したときに、引掛部は、開口の外縁を塞いでもよい。この場合、引掛部によって開口の外縁が塞がれているので、ビールテイスト飲料は貫通孔を通って注出される。このため、貫通孔の形状に応じて注出される泡の形状を変化させることができる。また、貫通孔からビールテイスト飲料が注出されるため、貫通孔からきめ細かい泡をスムーズに注出することができる。
【００１２】
また、突出部は、１本設けられており、貫通孔の中央に向かって線状に延びていてもよい。この場合、貫通孔の中央に向かって延びる突出部の両側及び先端側を通ってビールテイスト飲料が注出されるため、泡の形状を変化させて一層きめ細かい泡を注出することができる。
【００１３】
本発明に係る注出方法は、前述の注出機構を備えると共に、ビールテイスト飲料が充填された缶から飲料を注出する注出方法であって、引掛部を引き上げて開口形成部を缶の内側に入り込ませることにより、天面に開口を形成する工程と、回転軸部を中心としてプルタブを回転させる工程と、プルタブの回転により、引掛部で開口の一部を塞ぐ工程と、を備える。
【００１４】
この注出方法では、引掛部を引き上げて開口形成部を缶の内側に入り込ませることにより、天面に開口を形成することができる。そして、引掛部を引き上げた状態でプルタブを回転させることにより、引掛部で開口の一部を塞ぐことができる。よって、一部が塞がれた開口にビールテイスト飲料を通すことにより、飲料サーバーを有しない家庭等でもビールテイスト飲料のきめ細かい泡を手軽に注出することができる。
【発明の効果】
【００１５】
本発明によれば、きめ細かい泡を注出することができると共に、加工性を向上させることができる。
【図面の簡単な説明】
【００１６】
【図１】第１実施形態に係る注出機構を備えた缶を示す斜視図である。
【図２】図１の注出機構を示す平面図である。
【図３】第２実施形態に係る注出機構を示す平面図である。
【図４】図３の注出機構を拡大した平面図である。
【図５】第３実施形態に係る注出機構を示す平面図である。
【図６】（ａ）は、第４実施形態に係る注出機構を示す平面図である。（ｂ）は、（ａ）の注出機構を拡大した平面図である。
【図７】（ａ）は、第５実施形態に係る注出機構を示す平面図である。（ｂ）は、（ａ）の注出機構及び天面を切断した縦断面図である。
【図８】（ａ）は、注出機構を用いた実験を説明するための図である。（ｂ）は、実験において泡の径を測定する方法を説明するための図である。
【図９】（ａ），（ｂ），（ｃ）及び（ｄ）は、図７の実験の結果を示す写真である。
【発明を実施するための形態】
【００１７】
以下では、図面を参照しながら本発明に係る注出機構及び注出方法の実施形態について詳細に説明する。図面の説明において、同一又は相当する要素には同一の符号を付し、重複する説明を適宜省略する。
【００１８】
（第１実施形態）
図１は、第１実施形態に係る注出機構１０を備えた缶１を示す斜視図である。図１に示されるように、例えば、缶１は、その外観が円筒状とされている。缶１は、円形状とされた底部と、底部の外縁から直立する円筒状の胴部２と、胴部２の上端に位置する円形状の蓋部３とを備えている。胴部２は、その上端部に、上方に向かうに従って徐々に縮径する縮径部２ａを有する。
【００１９】
缶１には、ビールテイスト飲料が充填されている。ここで、ビールテイスト飲料とは、ビールのような味わいを奏する飲料、及び、ビールを飲用したような感覚を飲用者に与える飲料を含む。また、ビールテイスト飲料は、アルコール度数が１％（「容量／容量（％）」又は「ｖ／ｖ（％）」等とも表される）未満の飲料、及び、アルコール度数が１％以上の飲料も含む。なお、アルコール度数が１％以上の飲料は、ビールテイストアルコール飲料とも称される。
【００２０】
更に、ビールテイスト飲料は、原料として麦芽を使用するビール、発泡酒、リキュール（例えば、酒税法上、「リキュール（発泡性）（１）」に分類される飲料）等の麦芽発酵飲料、及び、原料として麦又は麦芽を使用しないビールテイスト発酵飲料（例えば、酒税法上「その他の醸造酒（発泡性）（１）」に分類される飲料）も含んでいる。
【００２１】
本実施形態において、例えば、缶１にはビールが充填されていてもよい。ビールは、アルコール度数が２０％未満の酒類であって、麦芽、ホップ及び水を原料として発酵させたもの、又は、麦芽、ホップ、水、麦、及びその他の酒税法施行令で定める物品を原料として発酵させたもの（その原料中当該酒税法施行令で定める物品の重量の合計が麦芽の重量の百分の五十を超えないもの）、並びに、発酵原料の麦芽比率（麦芽使用比率）が６７質量％以上のものを含む。
【００２２】
缶１の蓋部３は、鉛直上方に向けられる円形状の天面４と、天面４の外縁から立ち上がる円形状の立ち上がり部５と、ビールテイスト飲料を注出する注出機構１０とを有する。立ち上がり部５を有することにより、天面４は、缶１の上端より窪んでいる。立ち上がり部５は、金属板が逆Ｕ字状に湾曲した形状を有するため、飲用者が立ち上がり部５を触っても怪我等は抑制される。
【００２３】
図２は、缶１を開けた状態の蓋部３を示しており、注出機構１０のプルタブ１２を回転させた状態を示す平面図である。図２に示されるように、注出機構１０は、天面４に形成された凹部６の内側に設けられる。凹部６は、天面４の径方向の一方側（図２の上側）から他方側（図２の下側）に長く延びる形状を有し、凹部６の幅は、天面４の径方向の一方側から他方側に向かうに従って徐々に広がっている。天面４の中央付近且つ凹部６の内側部分には、一対の円形状の凸部７が形成されている。また、凹部６の外縁には、凹部６から天面４の径方向外側に向かうに従って徐々に高くなる傾斜面８が形成されている。
【００２４】
注出機構１０は、缶１に充填されたビールテイスト飲料を、缶１の外部に位置する容器（グラス等）に注ぐための機構である。注出機構１０は、凹部６に取り付けられた回転軸部１１と、回転軸部１１に回転可能に取り付けられたプルタブ１２と、回転軸部１１の径方向外側でＵ字状に拡大して湾曲する開口１３を形成する開口形成部１４と、を備える。回転軸部１１は、例えば、円形状とされており、天面４の中央に取り付けられている。回転軸部１１はプルタブ１２を回転自在に支持している。すなわち、プルタブ１２は、天面４の上方で天面４に沿う平面に沿って回転自在とされた回転式のプルタブである。
【００２５】
プルタブ１２は、回転軸部１１から天面４の径方向外側に長く延びる第１部分１２ａと、回転軸部１１から天面４の径方向外側に短く延びる第２部分１２ｂと、を有する。プルタブ１２は、第１部分１２ａから第２部分１２ｂに向かって長く延びる長円状とされている。プルタブ１２は、その外周全体にＲ加工がなされているので、プルタブ１２を触って指を切る事態を回避することができる。
【００２６】
プルタブ１２は、第２部分１２ｂ側に、回転軸部１１を囲むＵ字状とされた開口部１２ｃと、下方に窪んだ凹部１２ｈとを有する。凹部１２ｈは、開口部１２ｃよりもプルタブ１２の長手方向（図２の上下方向）の端部側に形成されている。凹部１２ｈはプルタブ１２の外縁よりも下方に突出している。この凹部１２ｈは、プルタブ１２の引掛部１２ｆが引っ張り上げられたときに開口形成部１４を押し下げる部位に相当する。凹部１２ｈは、プルタブ１２の幅方向（図２の左右方向）に延びると共にプルタブ１２の外縁に沿った形状を成している。
【００２７】
図１において、プルタブ１２は、回転軸部１１から離間した第１部分１２ａ側の位置に引掛部１２ｆを有する。引掛部１２ｆの下側に指が入れられて指で引掛部１２ｆが引き上げられることにより、開口形成部１４が缶１の内側に入り込んで開口１３が形成される。引掛部１２ｆは、引掛部１２ｆを貫通する貫通孔を有していない。すなわち、プルタブ１２は、第２部分１２ｂ側に位置する開口部１２ｃのみを貫通孔として有しており、第１部分１２ａ側に位置する引掛部１２ｆにはプルタブ１２を貫通する部分を有しない。
【００２８】
引掛部１２ｆには、下方に窪んだ凹部１２ｇが形成されている。凹部１２ｇはプルタブ１２の外縁よりも下方に突出している。凹部１２ｇは、プルタブ１２の幅方向に延びると共にプルタブ１２の外周に沿って延びる長円状とされている。この凹部１２ｇの外側に下から指を入れることにより、容易に指を入れることが可能となっている。
【００２９】
開口形成部１４は、缶１を開ける前には天面４（凹部６）と切断線１５を介して一体とされている。プルタブ１２の引掛部１２ｆが引き上げられてプルタブ１２の凹部１２ｈが開口形成部１４を押し下げることにより、開口形成部１４が切断線１５に沿って切断されて開口１３が形成される。
【００３０】
開口形成部１４は、回転軸部１１付近で直線状に延びる折り曲げ部１４ａを有し、この折り曲げ部１４ａを軸として缶１の内側に入り込む。切断線１５は、缶１の開封前は開口形成部１４の外周に沿って形成されている。切断線１５は、折り曲げ部１４ａの一端から凹部６の外周に沿って延び、折り曲げ部１４ａの他端にまで延在している。よって、切断線１５は、回転軸部１１から離れるに従って広がるＵ字状とされており、この切断線１５と折り曲げ部１４ａとによって開口１３が形成される。
【００３１】
次に、注出機構１０を用いて行う飲料の注出方法について説明する。初期状態では、図１に示されるように、プルタブ１２の引掛部１２ｆが開口形成部１４の反対側に位置している。この状態で引掛部１２ｆの下（天面４と引掛部１２ｆの間）に指を入れて引掛部１２ｆを引き上げる。引掛部１２ｆを引き上げることにより、凹部１２ｈで開口形成部１４を押し下げて切断線１５に沿った切断を行う。
【００３２】
切断線１５に沿った切断を行うことにより、図１及び図２に示されるように、折り曲げ部１４ａを介して開口形成部１４を缶１の内側に折り曲げる。このように開口形成部１４を缶１の内側に折り曲げることにより、天面４に開口１３を形成する（開口を形成する工程）。開口１３を形成した後には、プルタブ１２を回転軸部１１を中心として回転する（プルタブを回転させる工程）。
【００３３】
プルタブ１２を回転させることにより、引掛部１２ｆで開口１３の一部を覆った状態とする（引掛部で開口の一部を塞ぐ工程）。そして、開口１３の一部を引掛部１２ｆによって塞いだ状態で缶１からビールテイスト飲料を注ぐことにより、缶１の外部に位置するグラス等にきめ細かい泡を備えたビールテイスト飲料が注出される。
【００３４】
次に、本実施形態に係る注出機構１０及び注出方法から得られる作用効果について詳細に説明する。
【００３５】
本実施形態に係る注出機構１０及び注出方法では、プルタブ１２の引掛部１２ｆに指を引っ掛けて引掛部１２ｆを引き上げることにより、開口形成部１４が缶１の内側に入り込んでビールテイスト飲料を注出するための開口１３が天面４に形成される。引掛部１２ｆを引き上げた状態でプルタブ１２を回転軸部１１を中心として例えば１８０度回転させることにより、引掛部１２ｆで開口１３の一部を塞ぐことができる。
【００３６】
よって、ビールテイスト飲料をグラス等に注出するときには、一部が塞がれた開口１３にビールを通すことによってきめ細かい泡を注出することができる。従って、飲料サーバーを有しない家庭等でも、ビールテイスト飲料のきめ細かい泡を缶１から手軽に注出することができる。また、注出機構１０では、引掛部１２ｆが貫通孔を有しない。よって、プルタブ１２の製造時に、貫通孔を形成するための非常に小さい刃を複数用意する必要がないので、プルタブ１２の製造の加工性を向上させることができる。
【００３７】
（第２実施形態）
次に、第２実施形態に係る注出機構２０及び注出方法について図３及び図４を参照しながら説明する。以降の説明では、第１実施形態と重複する説明を適宜省略する。図３に示されるように、注出機構２０は、プルタブ２２の形状が第１実施形態と異なっている。プルタブ２２は、回転軸部１１から離間した第１部分１２ａ側の位置に引掛部２２ｆを有する。引掛部２２ｆは、引掛部２２ｆを貫通する１つの貫通孔２２ｇを有する。よって、プルタブ２２は、第２部分１２ｂ側に位置する開口部１２ｃと、第１部分１２ａ側に位置する貫通孔２２ｇと、をプルタブ２２を貫通する部分として備える。
【００３８】
図３及び図４に示されるように、引掛部２２ｆは、プルタブ２２の幅方向に延びると共にプルタブ２２の外周に沿って延びる長円状とされている。貫通孔２２ｇは、引掛部２２ｆの内側に位置しており、引掛部２２ｆと同様に長円状とされている。貫通孔２２ｇに下から指を入れることにより、容易に指を入れることが可能である。貫通孔２２ｇには、貫通孔２２ｇの内側に向かって突出する突出部２２ｈが形成されている。
【００３９】
貫通孔２２ｇは、互いに平行に直線状に延びる第１直線部２２ｊ及び第２直線部２２ｍと、第１直線部２２ｊ及び第２直線部２２ｍの間で半円状に湾曲する一対の湾曲部２２ｎと、によって形成されている。第１直線部２２ｊは、第２直線部２２ｍよりも回転軸部１１側に位置する。
【００４０】
突出部２２ｈは、貫通孔２２ｇの回転軸部１１側においてプルタブ２２の幅方向に延びる第１直線部２２ｊから貫通孔２２ｇの内側に線状に延びている。突出部２２ｈは、第１直線部２２ｊの中央から貫通孔２２ｇの内側に延びている。突出部２２ｈの外観は、例えば、矩形状とされている。
【００４１】
突出部２２ｈは、第１直線部２２ｊから互いに平行に延びる一対の側辺部２２ｋと、一対の側辺部２２ｋの先端同士の間で直線状に延びる先端部２２ｐとを有する。例えば、側辺部２２ｋの長さＬ１は、第１直線部２２ｊから第２直線部２２ｍまでの距離Ｄ１の５０％以上且つ９０％以下とされている。また、突出部２２ｈの幅Ｂ１は、貫通孔２２ｇの長さＬ２の３０％以上且つ４０％以下とされている。幅Ｂ１と長さＬ２との関係が上記であることにより、表面張力が上がるのを抑えて流量を確保することが可能となる。
【００４２】
突出部２２ｈは、第１直線部２２ｊの対岸に位置する第２直線部２２ｍまでは到達していない。すなわち、貫通孔２２ｇは、突出部２２ｈによって仕切られていない。突出部２２ｈの先端部２２ｐと第２直線部２２ｍとの間には空間が形成されている。従って、ビールテイスト飲料は、先端部２２ｐ、一対の側辺部２２ｋ、第１直線部２２ｊ、湾曲部２２ｎ及び第２直線部２２ｍによって形成された、貫通孔２２ｇの内側の空間を通って注出される。
【００４３】
第２実施形態に係る注出機構２０を用いて行う飲料の注出方法は、第１実施形態と同様である。すなわち、プルタブ２２の引掛部２２ｆの下に指を入れて引掛部２２ｆを引き上げて開口形成部１４を缶１の内側に折り曲げて開口１３を形成する。そして、プルタブ２２を回転軸部１１を中心として回転させ、引掛部２２ｆで開口１３の一部を覆う。このように引掛部２２ｆで開口１３の一部を塞いだ状態で缶１からビールテイスト飲料を注ぐことにより、グラス等にきめ細かい泡を備えたビールテイスト飲料が注出される。
【００４４】
以上、注出機構２０では、第１実施形態の注出機構１０と同様、引掛部２２ｆで開口１３の一部を塞ぐことができるので、飲料サーバーを有しない家庭等でもビールテイスト飲料のきめ細かい泡を注出することができる。また、注出機構２０では、引掛部２２ｆが１つの貫通孔２２ｇを有し、貫通孔２２ｇには、その内側に突出する突出部２２ｈが形成されている。
【００４５】
このように、１つの貫通孔２２ｇに突出部２２ｈが形成されているので、貫通孔２２ｇにビールテイスト飲料を通すことにより、注出される泡の形状を変化させることができ、よりきめ細やかな泡を注出することができる。また、注出機構２０では、１つの貫通孔２２ｇを形成する切削加工用の刃を１つ用意すればよいので、プルタブ２２の製造の加工性を向上させることができる。
【００４６】
また、突出部２２ｈは、１本設けられており、貫通孔２２ｇの中央に向かって線状に延びている。従って、貫通孔２２ｇの中央に向かって延びる突出部２２ｈの両側及び先端側を通ってビールテイスト飲料が注出されるため、泡の形状を変化させて一層きめ細かい泡を注出することができる。
【００４７】
（第３実施形態）
続いて、第３実施形態に係る注出機構３０について図５を参照しながら説明する。注出機構３０は、第１及び第２実施形態とは形状が異なるプルタブ３２を備える。プルタブ３２は、第２実施形態の引掛部２２ｆよりも拡張された引掛部３２ｆを備える。第３実施形態では、プルタブ３２を回転させたときに、引掛部３２ｆが開口１３の外縁を塞ぐ。よって、プルタブ３２を回転させた状態では、プルタブ３２の引掛部３２ｆによって開口１３の外縁、すなわち、切断線１５が塞がれている。なお、プルタブ３２は、開口部１２ｃを有していてもよいし、開口部１２ｃを有していなくてもよい。
【００４８】
以上、第３実施形態に係る注出機構３０では、プルタブ３２が回転したときに、引掛部３２ｆは、開口１３の外縁を塞いでいる。よって、引掛部３２ｆによって開口１３の外縁が塞がれているので、ビールテイスト飲料は貫通孔２２ｇを通って注出される。このため、貫通孔２２ｇの形状に応じて注出される泡の形状を変化させることができる。また、貫通孔２２ｇからビールテイスト飲料が注出されるため、貫通孔２２ｇからきめ細かい泡をスムーズに注出することができる。
【００４９】
（第４実施形態）
次に、第４実施形態に係る注出機構４０について図６（ａ）及び図６（ｂ）を参照しながら説明する。注出機構４０は、第２実施形態の突出部２２ｈとは異なる形状の突出部４２ｈを２つ備えたプルタブ４２を有する。突出部４２ｈは、貫通孔２２ｇの内側に向かって矩形状に突出している。２つの突出部４２ｈは、貫通孔２２ｇの長手方向に並んでおり、貫通孔２２ｇにおいて例えば左右対称に配置されている。例えば、各突出部４２ｈの長さＬ３（最大値）は突出部２２ｈの長さと同程度であり、各突出部４２ｈの幅Ｂ２は突出部２２ｈの幅Ｂ１よりも広い。一例として、各突出部４２ｈの幅は、貫通孔２２ｇの長さＬ２の２０％以上且つ４５％以下とされている。以上、注出機構４０では、１つの貫通孔２２ｇに突出部４２ｈが形成されているので、第２実施形態と同様の作用効果が得られる。
【００５０】
（第５実施形態）
続いて、第５実施形態に係る注出機構５０について図７を参照しながら説明する。注出機構５０は、貫通孔２２ｇを有しない点において、第３実施形態の注出機構３０と異なっている。すなわち、注出機構５０のプルタブ５２の引掛部５２ｆは、孔部を有しない平板状とされている。また、引掛部５２ｆは、天面４に対して斜め上方に傾斜しているため、引掛部５２ｆと天面４との間には隙間が形成されている。この注出機構５０では、ビールテイスト飲料を注出するときに、ビールテイスト飲料は天面４と引掛部５２ｆとの間の隙間を通って注出される。よって、注出される泡の形状を変化させることができ、前述した各実施形態と同様の効果が得られる。なお、引掛部５２ｆは、天面４に対して斜め下方に傾斜していてもよい。
【００５１】
以上、本発明に係る注出機構及び注出方法の実施形態について説明したが、本発明は、前述した各実施形態に限られるものではなく、各請求項に記載した要旨を変更しない範囲で変形し、又は他のものに適用したものであってもよい。すなわち、本発明は、特許請求の範囲に記載した要旨を変更しない範囲で種々の変形が可能であり、注出機構を構成する各部品の構成、及び注出方法を構成する各工程は、上記の要旨を逸脱しない範囲で適宜変更可能である。
【００５２】
例えば、前述の第２実施形態において、貫通孔２２ｇに形成する突出部の個数、形状、大きさ及び配置態様は適宜変更可能である。例えば、回転軸部１１側の第１直線部２２ｊから突出する突出部２２ｈに代えて、回転軸部１１の反対側の第２直線部２２ｍから突出する突出部を備えていてもよい。但し、第１直線部２２ｊから突出する突出部２２ｈは、第２直線部２２ｍから突出する突出部よりもプルタブ２２を開口するときに指を一層引っ掛かりにくくすることができる。
【００５３】
以上のように貫通孔２２ｇに形成する突出部の個数、形状、大きさ又は配置態様を変更しても、貫通孔２２ｇにビールテイスト飲料を通したときに注出される泡の形状を変化させることができ、よりきめ細やかな泡を手軽に家庭等で楽しむことができる。また、注出機構が設けられる缶の形状、大きさ、及び、各部品の構成についても適宜変更可能である。
【００５４】
（実施例）
続いて、図８及び図９を参照しながら、前述の実施形態の注出機構を備えた缶の実施例について説明する。なお、本発明は、以下の実施例に限定されるものではない。この実施例の実験では、実施例１〜４に係る缶と、比較例に係る缶を用いている。実施例１の缶１は注出機構１０を備えた缶１であり、実施例２の缶は注出機構２０を備えた缶１であり、実施例３の缶は注出機構４０を備えた缶１であり、実施例４の缶は注出機構５０を備えた缶１であり、比較例の缶は突出部２２ｈを有しない（貫通孔２２ｇのみが形成された）缶である。
【００５５】
図８（ａ）に示されるように、実施例１〜４の缶１及び比較例の缶のそれぞれを高さがＨ（ｍｍ）の台Ａの上に置き、実施例１〜４の缶１及び比較例の缶のそれぞれから台Ａの側面Ａ１に対向するグラスＧにビールテイスト飲料を注出した。グラスＧの高さは９２ｍｍであり、Ｈの値は１３０ｍｍである。この条件でビールテイスト飲料をグラスＧに注ぐと、グラスＧの高さの中央Ｇ１付近に泡の下端が位置することになる。
【００５６】
ビールテイスト飲料をグラスＧに注いだ後には、カメラでグラスＧの高さの中央Ｇ１を撮影した。そして、図８（ｂ）に示されるように、撮影画像を均等に１２分割し、複数の分割線Ｘの各交点Ｐ１，Ｐ２，Ｐ３，Ｐ４，Ｐ５，Ｐ６を定め、各交点Ｐ１，Ｐ２，Ｐ３，Ｐ４，Ｐ５，Ｐ６に位置する泡の大きさを測定し、６点の泡の直径の平均値を算出した。この測定では、実際の１ｃｍの長さと撮影画像上の長さとの関係を縮尺として用いた。
【００５７】
以上のように、台Ａの上からグラスＧへのビールテイスト飲料の注出、泡の撮影、撮影画像からの泡の大きさの測定を５回繰り返し行って、実施例１〜４の缶１及び比較例の缶それぞれから注出された泡の直径を算出した。その結果、比較例の注出機構では泡の直径の平均値が０．４８１（ｍｍ）であったのに対し、実施例１では泡の直径の平均値が０．３７２（ｍｍ）、実施例２では泡の直径の平均値が０．３６８（ｍｍ）、実施例３では泡の直径の平均値が０．３７９（ｍｍ）、実施例４では泡の直径の平均値が０．３８６（ｍｍ）であった。この結果より、注出機構１０，２０，４０，５０のそれぞれを備えた実施例１〜４では、比較例よりも泡の大きさがきめ細かくなっていることが分かる。
【００５８】
また、図９は、カメラでグラスＧの中央Ｇ１を撮影したときの撮影画像を示している。図９（ａ）は実施例１、図９（ｂ）は実施例２、図９（ｃ）は実施例３、図９（ｄ）は比較例、をそれぞれ示している。図９（ａ）〜図９（ｄ）に示されるように、図９（ａ）〜図９（ｃ）の実施例１〜３では、図９（ｄ）の比較例よりも、明らかに注出した泡が細かくなっていることが分かる。以上のように、注出機構１０，２０，４０を備えた缶１では、注出される泡をきめ細かくできることが分かった。
【符号の説明】
【００５９】
１…缶、２…胴部、２ａ…縮径部、３…蓋部、４…天面、５…立ち上がり部、６…凹部、７…凸部、８…傾斜面、１０，２０，３０，４０，５０…注出機構、１１…回転軸部、１２，２２，３２，４２，５２…プルタブ、１２ａ…第１部分、１２ｂ…第２部分、１２ｃ…開口部、１２ｆ，２２ｆ，３２ｆ，５２ｆ…引掛部、１２ｇ，１２ｈ…凹部、１３…開口、１４…開口形成部、１４ａ…折り曲げ部、１５…切断線、２２ｇ…貫通孔、２２ｈ，４２ｈ…突出部、２２ｊ…第１直線部、２２ｋ…側辺部、２２ｍ…第２直線部、２２ｎ…湾曲部、２２ｐ…先端部、Ａ…台、Ａ１…側面、Ｂ１，Ｂ２…幅、Ｄ１…距離、Ｇ…グラス、Ｇ１…中央、Ｐ１，Ｐ２，Ｐ３，Ｐ４，Ｐ５，Ｐ６…交点、Ｘ…分割線。
【図１】
2018144828.tif 000003
【図２】
2018144828.tif 000004
【図３】
2018144828.tif 000005
【図４】
2018144828.tif 000006
【図５】
2018144828.tif 000007
【図６】
2018144828.tif 000008
【図７】
2018144828.tif 000009
【図８】
2018144828.tif 000010
【図９】
2018144828.tif 000011